(57)【要約】【課題】データ記録媒体となるメモリカードを収容してなるメモリカートリッジを着脱可能となるようにしたデータ記録装置において、メモリスロットへ装着したメモリカードのコネクタへの装着が確実なものとなるようにし、振動に対する安全性を向上する。【解決手段】データ記録媒体となるメモリカードＤＭを収容してなるメモリカートリッジＢを着脱可能となるようにしたデータ記録装置Ａにおいて、前記データ記録装置ＡのメモリカートリッジＢの収容部に開閉扉２を設け、該開閉扉２に、メモリスロットに装填したメモリカードＣＭをその装填方向に付勢する押圧機構を配設する。【選択図】      図１
2004327821.tif 000002
【特許請求の範囲】
【請求項１】
データ記録媒体となるメモリカードを収容してなるメモリカートリッジを着脱可能となるようにしたデータ記録装置において、
前記データ記録装置のメモリカートリッジの収容部に開閉扉を設け、該開閉扉に、メモリスロットに装填したメモリカードをその装填方向に付勢する押圧機構を配設したことを特徴とするデータ記録装置。
【請求項２】
押圧機構が開閉扉を閉止したとき作動するシーソーレバーにより構成されていることを特徴とする請求項１記載のデータ記録装置。
【請求項３】
開閉扉を閉止したとき押圧機構が作動するとともに、扉ノブの操作が可能となるようにしたことを特徴とする請求項１記載のデータ記録装置。
【発明の詳細な説明】
【０００１】
【発明の属する技術分野】
本発明は、データ記録媒体となるメモリカードを収容してメモリカートリッジを構成するとともに、このメモリカートリッジを装填して一体化し、デジタル信号として生成された画像情報などを前記メモリカートリッジのメモリカードに記録するようにしたデータ記録装置に関する。
【０００２】
【従来の技術】
磁気テープをデータの記録媒体とするデータ記録装置は、航空機などに搭載するフライトレコーダ（ＡＶＴＲ：Ａｉｒｂｏｒｎｅ  Ｖｉｄｅｏ  Ｔａｐｅ  Ｒｅｃｏｒｄｅｒ）として発達してきたが、より高い信頼性の要求から半導体記憶素子を採用したメモリカード（ＰＣＭＣＩＡカード）の採用に移行しつつあり、このメモリカードを複数枚収容して単体構成したメモリカートリッジをデータ記録装置に着脱可能となるようにして構成したデータ記録装置の密閉された筐体内部の発熱による不具合を解決するため、本願出願人はその対策を施すようにしている（例えば、特許文献１）。
【０００３】
【特許文献１】
特開２００２−２５８９８７号
【０００４】
【発明が解決しようとする課題】
上記特許文献１に開示したものは、筐体内部が密閉状態の電子機器における発熱に対する問題を解決する汎用性の高い改良技術であり、本願発明の対象となるデータ記録装置においても不可欠の技術である。しかしながら、熱対策などの基本的な課題の解決がなされたが、使い勝手やデータ保護に関する安全対策に課題を残すものとなっていた。
【０００５】
即ち、例えば、従来の特許文献１に開示された構成の場合、メモリカートリッジを本体に装着すると、このメモリカートリッジ全体が本体に埋没した状態となってコネクタに接続されているため、その抜き取りがきわめて困難な作業となるものであった。また、データ記録装置が稼働されている状態において、メモリカートリッジは強制的に保持されている状態でないため、振動によりコネクタから脱落あるいは接触不良を発生する危険があった。さらに、本発明が対象とするデータ記録装置ではコンピュータ機能を搭載しているため、メモリカートリッジを本体から抜き取る場合は、メモリカートリッジのメモリカードに記録したデータを保護するため、コンピュータのシャットダウンを完了して、初めてメモリカートリッジを抜き取ることができる安全対策が必要となった。
【０００６】
そこで本発明は、かかるメモリカートリッジを着脱可能となるようにしたデータ記録装置における従来の問題において、特にメモリスロットへ装着したメモリカードのコネクタへの装着が確実なものとなるようにし、振動に対する安全性を向上するようにしたものである。
【０００７】
【課題を解決するための手段】
そこで本発明は、以下に述べる手段により上記課題を解決するようにした。即ち、請求項１記載の発明では、データ記録媒体となるメモリカードを収容してなるメモリカートリッジを着脱可能となるようにしたデータ記録装置において、前記データ記録装置のメモリカートリッジの収容部に開閉扉を設け、該開閉扉に、メモリスロットに装填したメモリカードをその装填方向に付勢する押圧機構を配設する。
【０００８】
請求項２記載の発明では、上記請求項１記載の発明において、押圧機構が開閉扉を閉止したとき作動するシーソーレバーにより構成されるようにする。
【０００９】
請求項３記載の発明では、上記請求項１記載の発明において、開閉扉を閉止したとき押圧機構が作動するとともに、扉ノブの操作が可能となるようにする。
【００１０】
【発明の実施の形態】
以下、本発明の実施の形態を図にもとづいて詳細に説明する。なお、本発明は複数の機構要素を組み合わせて完成されるものであるため、その理解を容易にすべく全体の構成の概要を含め説明する。
【００１１】
図１は、本発明のデータ記録装置Ａの完成状態の斜視図であり、本発明はこのデータ記録装置Ａと、このデータ記録装置Ａに着脱可能とする図３に示すメモリカートリッジＢを主体に構成される。データ記録装置Ａの本体１は、図２に示すように前面上部に配設する開閉扉２および背面パネル３を配設する部分のみを開口してアルミダイキャストなどにより一体に成形されたものである。同図から明らかなように、開閉扉２および背面パネル３を装着すると、内部が密閉状態となり電子部品などの発熱が蓄積されるので、この内部の発熱を放散するため、本体１の側面ならびに前面下部および開閉扉２の前面に放熱フィン１ａ・２ａが形成されている。
【００１２】
前記開閉扉２の中央には扉ノブ４が配設されており、この扉ノブ４の操作が開閉扉２の背面にノブロッド４ａで伝達するようにしている。図２は、本体１の内部の構成の概要を示すもので、開閉扉２の後部には前記メモリカートリッジＢを収容するメモリカートリッジホルダ５が配設されている。また、メモリカートリッジホルダ５の下部には、入出力インターフェイス、コンピュータなどの電子回路要素を構成するための電子部品を実装した複数の基板ボードＰが配設されている。また、本体１の背面の開口部にはこれもアルミダイキャストなどにより成形された背面パネル３が装着され、この背面パネル３には外部配線用のコネクタ６が配設されている。
【００１３】
図４は、開閉扉２の背面の構成を示すもので、前記扉ノブ４を固定するノブロッド４ａの裏面側の端部には開閉扉２を本体１へ閉止するためのラッチ板７が固定されており、さらにこのラッチ板７の端部に押圧ローラ８が回転可能に取り付けられ、側部には後述するラッチ機構に係合する係止溝７ａが形成されている。なお、このラッチ板のノブロッド４ａは、引張コイルバネ９によりラッチ状態を解除する方向に付勢されており、開閉扉２が開いているときは、同図に示すように定位置が保たれるようにしている。開閉扉２の裏面の両側には板バネ１２・１３により付勢されている押圧ローラ１０・１１が回転可能に配設されており、後述するようにこの押圧ローラ１０・１１により装填されたメモリカートリッジＢを押圧するようにしている。
【００１４】
符号１４はシーソーレバーであり、開閉扉２の底面に固定されているベース板１５の起立片に軸支１５ａされ、揺動可能となるようにしている。このシーソーレバー１４は、図５に示すように開閉扉２を本体１へ閉止したとき、この本体１の側壁で操作端１４ａが押圧され、作用端１４ｂが揺動し、その先端に組み込まれた圧縮コイルバネ１４ｃにより付勢されている指圧ピン１４ｄにより、後述するシステム制御プログラムなどを記憶したメモリカードＣＭの後端部を押圧し、このメモリカードＣＭがマルチコネクタＣ１から脱落するのを防止するようにしている。なお、開閉扉２が本体１から開放している場合は、捻りコイルバネ１６の作用によりシーソーレバー１４が定位置に復帰し、図４の吹出図に示すようにノブロッド４ａの突起４ｂがシーソーレバー１４に当接する状態となり、これによりノブロッド４ａの回転が阻止され、扉ノブ４が徒に回転しないようにしている。
【００１５】
このように構成されている開閉扉２は、ヒンジ機構１７により本体１に固定されるが、このヒンジ機構１７にトグルバネ構造を採用することにより、開閉扉２を本体１から開放したとき、自然状態で揺動するのを防ぎ、定位置に固定させることができる。また、開閉扉２の内面外周には凹溝２ａが形成されており、この凹溝２ａに気密性、水密性を保ち、しかも静電気、電磁波の進入を防止する素材で形成されたパッキン１８が埋設されている。
【００１６】
つぎに、図６はメモリカートリッジＢを収容するためのメモリカートリッジホルダ５の外観を示す斜視図であり、前端に開口６ａが形成され、その開口に臨む天板の中央部にラッチ機構１９が配設されている。このラッチ機構１９は、図７に示すように１枚の板バネ材を曲成して構成したもので、主体部１９ａはメモリカートリッジホルダ５の天板に溶接などの適宜手段により固定され、自由端に弾性舌片１９ｂおよび係止舌片１９ｃが形成されている。したがって、開閉扉２を本体１に閉止するため扉ノブ４を回転すると、ラッチ板７が弾性舌片１９ｂに摺接し、引張コイルバネ９の張力より大きい摺接摩擦により定位置で停止するようにされている。なお、係止舌片１９ｃは、その突起とラッチ板７の係止溝７ａの係合によりクリック感が発生するようにしたもので、扉ノブ４が確実に操作されるようにしたものである。
【００１７】
一方、メモリカートリッジホルダ５の天板面には引張コイルバネ２１により付勢されているスイッチレバー２０が配設され、支点２０ａを中心に揺動可能となるようにしている。したがって、図７に示すようにラッチ板７がラッチ機構１９に進入してくると、このラッチ板７の側端部がスイッチレバー２０の先端部２０ｂを押し下げるので、後端部２０ｃが揺動し、メモリカートリッジホルダ５の背面に配設したスイッチを作動する。これにより、開閉扉２が本体１に閉止されたことを認識する電気信号が得られ、制御回路にその信号が送出されることになる。
【００１８】
つぎに、本体１に装填するためのメモリカートリッジＢは図３に示す外観を備え、ケース状の主体部２２はアルミダイキャストなどにより成形されており、半導体記憶素子をデータ記録媒体とする複数のメモリカードＤＭを図８に示すように収容するため、空洞部２２ａが形成されている。このメモリカードＤＭの枚数は、全体の記憶容量の設定にもよるが、本実施例においては７枚のメモリカードが収容可能となるようにしており、１枚の記憶容量が１．２ＧＢ（ギガバイト）である場合、単純計算で全体の記憶容量が８．４ＧＢとなる。そして、メモリカードＤＭはマルチコネクタＣ２・Ｃ３に接続され、さらにマルチコネクタＣ４によりデータ記録装置Ａとの接続が可能となるようにしている。
【００１９】
したがって、図８に示すように主体部２２内にメモリカードＤＭを並列させて配置すると、一方の収容枚数が他方の収容枚数より１枚少なくなる。そこで、本発明のメモリカートリッジＢでは、メモリカードＤＭが少なく収容される部分の天板面を一段低い天板面２２ｄとなるように成形し、これにより形成された天板面２２ｄ上の空間をメモリスロットとし、前述したメモリカードＣＭを収容可能となるようにした。これにより、主体部２２に収容されたメモリカードＤＭをデータの記録専用とし、メモリカードＣＭをシステム制御プログラムなどを記憶させたものとすることができる。このようにメモリカートリッジＢの天板面を段差成形したことにより左右非対象の形態となることから、データ記録装置Ａへの装着方向の誤りを防止することができる。なお、メモリカードＣＭおよびメモリカードＤＭは、半導体記憶素子を記憶要素とするものが一般に普及しているが、ハードディスクを記憶要素として構成したメモリカードによっても実施することが可能であり、いずれのメモリカードを採用しても本発明の要旨を変更するものではない。
【００２０】
メモリカートリッジＢをこのように記録専用となるように構成したことにより、データ記録装置Ａから取り出すことを可能とし、可搬性を備えたメモリカートリッジＢのメモリカードＤＭの記憶内容は、異なる場所に備えた編集装置などにより読み出すことが可能となり、また、記憶を消去することが可能となる。一方、メモリカードＣＭについては、図５に示すようにマルチコネクタＣ１から抜き差し可能となるようにしているので、このメモリカードＣＭのみを抜き取り、更新、変更されたシステム制御プログラムなどを再度書き込むことが可能となる。
【００２１】
このような仕様の実現と、操作性、使い勝手の向上、そしてシステムの安全性を確保するため、本発明のメモリカートリッジＢには以下に説明する独自の構成が施されている。まず、メモリカートリッジＢはデータ記録装置Ａに対し着脱可能としているため、特にデータ記録装置Ａから取り出す場合の操作を容易とすべく、主体部２２にハンドル２３を内蔵し、このハンドル２３を把持して引き抜くようにしている。
【００２２】
前記ハンドル２３は、図８に示すようにその前端両側に受圧部２３ｃを備えるとともに略コ字状に成形されており、一方の支棹２３ａには支持ローラ２４を備え、主体部２２の側部に形成された案内溝２２ｂ内を前進後退が可能となるようにしており、圧縮コイルバネ２５により常に主体部２２外へ突き出される状態に付勢されている。
【００２３】
一方、支棹２３ｂは、これも支持ローラ２６を備え、主体部２２の側部に形成された案内溝２２ｃ内を前進後退が可能となるようにしている。この支棹２３ｂには図９に示すようにその先端部に突出段部２３ｃが形成されており、案内溝２２ｃの奥部には前記突出段部２３ｃに係合するフック２７ａが形成された係止部材２７が配置されている。なお、この係止部材２７の先端のフック２７ａは案内溝２２ｃ内に傾倒するように常時付勢されており、また、後端部にはこの係止部材２７を揺動させるための押圧力を受ける受圧端部２７ｂが形成されている。
【００２４】
支棹２３ｂは以上のように構成されていることにより、図８の状態からハンドル２３を前進させると、その突出段部２３ｃと係止部材２７のフック２７ａが係合するので、図１０に示すようにハンドル２３を主体部２２に収容して固定することができる。また、メモリカートリッジＢをデータ記録装置Ａに装填したときは、その装填停止位置のメモリカートリッジホルダ５の天板面から垂下している押圧ピン２８（図６参照）が、図３に示すように主体部２２の天板面に臨んでいる前記受圧端部２７ｂを押圧するので、突出段部２３ｃとフック２７ａの係合は解除されることになる。なお、かかる機能の詳細については、後述することにする。
【００２５】
つぎに、ハンドル２３を主体部２２に収容して固定している状態（ロック）と、このロック状態を解除してハンドル２３を主体部２２からポップアウトさせる状態（イジェクト）の双方の状態を可能とするイジェクト／ロック機構２９について説明する。
【００２６】
このイジェクト／ロック機構２９は、メモリカートリッジＢの開口部前端の側部に図３に示すように配設されており、その具体的構成を図１１に示す。同図において、符号３０はロックレバーであり、スライド部材３１に揺動可能に軸支されていることによりこのスライド部材３１の往復動に伴い、支点３０ａを中心にロックレバー３０の先端のフック３０ｂが揺動するように構成されている。また、前記スライド部材３１は、前述した支棹２３ａの圧縮コイルバネ２５の張力より弱い張力を備えた引張コイルバネ３２により付勢され、ロックレバー３０を定位置に保つようにしている。そして、スライド部材３１には磁性体３３が固着されており、この磁性体３３をヨーク３４ａにより磁気吸引するようにしたソレノイド３４が主体部２２に固定されて配置されている。なお、このソレノイド３４の磁気吸引力は、前記圧縮コイルバネ２５の張力より強いものとなるように設定されている。
【００２７】
イジェクト／ロック機構２９はこのように構成されていることからデータ記録装置ＡにメモリカートリッジＢを装填した場合のハンドル２３のロックは、このハンドルに備えたロックピン３５とロックレバー３０のフック３０ｂとの係合によりなされる。なお、メモリカートリッジＢをデータ記録装置Ａから取り出し、単体となった状態において、ハンドル２３を主体部２２に収容して固定する場合は、前述したように支棹２３ｂの突出段部２３ｃと係止部材２７のフック２７ａの係合によりなされることになり、これにより携帯性を向上することができる。
【００２８】
つぎに、メモリカートリッジＢをデータ記録装置Ａに装填した場合のイジェクト／ロック機構２９の動作態様について説明する。メモリカートリッジＢをデータ記録装置Ａに装填すると、図１２に示すようにハンドル２３がポップアウトした状態となる。同図に示す状態はメモリカートリッジＢの主体部２２が装填停止位置にあるので、前述したようにメモリカートリッジホルダ５の天板面から垂下している押圧ピン２８が係止部材２７の受圧端部２７ｂを押圧している状態となっており、突出段部２３ｃとフック２７ａとの係合が解除され、圧縮コイルバネ２５の作用によりハンドル２３がポップアウトすることになる。
【００２９】
この状態から開閉扉２を閉止方向に転回してゆくと、図１３に示すように、まず、ラッチ板７の押圧ローラ８がハンドル２３の中央部を押圧することにより、該ハンドル２３が後退を始める。そして、ハンドル２３の後退がさらに進行すると開閉扉２の裏面両側に配置した押圧ローラ１０・１１によりハンドル２３の前端両側の受圧部２３ｃが押圧され、開閉扉２の完全な閉止位置に達するとこの押圧ローラ１０・１１による最終的な押圧力によりメモリカートリッジＢの後端部のマルチコネクタＣ４がデータ記録装置Ａのマルチコネクタと接続される。
【００３０】
このとき、ラッチ板７の押圧ローラ８はハンドル２３の端面との接触が解除され、同時にシーソーレバー１４の操作端１４ａが本体１の側壁に当接して揺動することから扉ノブ４が回動可能の状態となる。一方、揺動したシーソーレバー１４の先端の指圧ピン１４ｄが、すでにメモリカートリッジホルダ５の天板面に装填されているメモリカードＣＭの後端部を押圧し、該メモリカードＣＭのマルチコネクタＣ１からの脱落を防止できる状態となる。また、この状態に至ると、押圧ローラ１０・１１は板バネ１２・１３により付勢されることから、メモリカートリッジＢが常に装填方向に押圧されていることになり、メモリカードＤＭとマルチコネクタＣ２・Ｃ３との接合を確実なものとすることができる。このようにして、ハンドル２３が本体１内に完全に収容されると、ハンドル２３のロックピン３５とロックレバー３０のフック３０ｂが係合した状態となる。
【００３１】
そして、この状態において扉ノブ４を回転させると、ラッチ板７が図７に示すようにラッチされ、開閉扉２の閉止を完了する。このとき、メモリカートリッジホルダ５の天板面に配設したスイッチレバー２０が揺動するため、その後端部２０ｃでスイッチが作動され、その電気信号でメモリカートリッジＢが装填されたことが認識されると、ソレノイド３４に通電が開始されイジェクト／ロック機構２９によるロック状態が維持されることになる。
【００３２】
つぎに、メモリカートリッジＢをデータ記録装置Ａから抜き取る場合の動作態様について説明する。前述したように本発明ではデータ記録媒体として半導体記憶素子を用いることから、データ記録装置Ａの本体１にはコンピュータを内蔵し、このコンピュータの制御にもとづいてデータの記録が行われる。したがって、メモリカートリッジＢをデータ記録装置Ａから抜き取る場合は、本体１内のコンピュータなどの電子回路を完全にシャットダウンさせておく必要がある。もし、コンピュータなどの電子回路の作動中にメモリカートリッジＢを抜き取るようなことがあると、メモリカートリッジＢに記憶されているデータが破壊される可能性があり、このため、本発明では以下に説明する安全対策が施されている。
【００３３】
即ち、メモリカートリッジＢをデータ記録装置Ａから抜き取るべく、開閉扉２を開放した直後から電子回路がシャットダウンするまでの間、図１４に示すようにハンドル２３がポップアウトしないようにしている。これは、開閉扉２を開放するため、扉ノブ４を回転すると、スイッチレバー２０が元位置に復帰するのに伴い、その後端部２０ｃでスイッチが再び作動され、開閉扉２が開放されたことを認識する電気信号が送出される。これにより、電子回路はシャットダウンの動作を開始するが、この時点ではメモリカートリッジＢのソレノイド３４への通電は維持されたままの状態としている。したがって、イジェクト／ロック機構２９はロック状態が維持されており、開閉扉２が開放されてもハンドル２３はポップアウトすることがない。
【００３４】
そして、電子回路のシャットダウンが完了すると、前記ソレノイド３４への通電が遮断されることにより、そのヨーク３４ａの磁力によるスライド部材３１の吸引力が消滅する。これと同時にハンドル２３の支棹２３ａを付勢している圧縮コイルバネ２５が作用し、ハンドル２３が図１２に示す状態にポップアウトし、このハンドル２３を把持してメモリカートリッジＢを抜き取ることが可能となる。
【００３５】
このようにして航空機などに据え付けてあるデータ記録装置Ａから抜き取ったメモリカートリッジＢは、ハンドル２３を主体部２２に収容して単体で持ち運ぶことが可能となる。そして、異なる場所に設置したデータ記録装置Ａあるいは専用の記録再生装置によりメモリカートリッジＢに記録されたデータをダウンロードして保存し、メモリカートリッジＢの記録を消去することにより再度の利用が可能となる。
【００３６】
【発明の効果】
以上、詳細に説明したように本発明の請求項１乃至請求項３記載の発明によれば、データ記録装置の開閉扉の閉止操作と同時にメモリスロットに装填したメモリカードを装填方向に付勢するようにしたので、このメモリカードの振動を抑制でき、そして、マルチコネクタからの脱落を防止することができる。
【図面の簡単な説明】
【図１】本発明のデータ記録装置の完成状態の外観を示す斜視図である。
【図２】図１の内部構造を示す断面図である。
【図３】本発明のメモリカートリッジの外観を示す斜視図である。
【図４】開閉扉の構造を説明するための斜視図である。
【図５】メモリカードの固定状態を説明するための図である。
【図６】メモリカートリッジホルダの構成を説明するための斜視図である。
【図７】開閉扉のラッチ機構を説明するための斜視図である。
【図８】メモリカートリッジの内部構造を説明するための図である。
【図９】メモリカートリッジのハンドルの作用を説明するための図である。
【図１０】ハンドルの作動状態を説明するための図である。
【図１１】イジェクト／ロック機構を示す斜視図である。
【図１２】メモリカートリッジの装填状態を説明するための斜視図である。
【図１３】開閉扉の作用状態を説明するための斜視図である。
【図１４】ハンドルのロック状態を説明するための斜視図である。
【符号の説明】
Ａ・・・・・・・・データ記録装置
Ｂ・・・・・・・・メモリカートリッジ
１・・・・・・・・本体
２・・・・・・・・開閉扉
３・・・・・・・・背面パネル
４・・・・・・・・扉ノブ
５・・・・・・・・メモリカートリッジホルダ
６・・・・・・・・コネクタ
７・・・・・・・・ラッチ板
８・・・・・・・・押圧ローラ
９・・・・・・・・引張コイルバネ
１０・１１・・・・押圧ローラ
１２・１３・・・・板バネ
１４・・・・・・・シーソーレバー
１５・・・・・・・ベース板
１６・・・・・・・捻りコイルバネ
１７・・・・・・・ヒンジ機構
１８・・・・・・・パッキン
１９・・・・・・・ラッチ機構
２０・・・・・・・スイッチレバー
２１・・・・・・・引張コイルバネ
２２・・・・・・・主体部
２３・・・・・・・ハンドル
２４・・・・・・・支持ローラ
２５・・・・・・・圧縮コイルバネ
２６・・・・・・・支持ローラ
２７・・・・・・・係止部材
２８・・・・・・・押圧ピン
２９・・・・・・・イジェクト／ロック機構
３０・・・・・・・ロックレバー
３１・・・・・・・スライド部材
３２・・・・・・・引張コイルバネ
３３・・・・・・・磁性体
３４・・・・・・・ソレノイド
３５・・・・・・・ロックピン
ＣＭ・・・・・・・メモリカード
ＤＭ・・・・・・・メモリカード
【図１】
2004327821.tif 000003
【図２】
2004327821.tif 000004
【図３】
2004327821.tif 000005
【図４】
2004327821.tif 000006
【図５】
2004327821.tif 000007
【図６】
2004327821.tif 000008
【図７】
2004327821.tif 000009
【図８】
2004327821.tif 000010
【図９】
2004327821.tif 000011
【図１０】
2004327821.tif 000012
【図１１】
2004327821.tif 000013
【図１２】
2004327821.tif 000014
【図１３】
2004327821.tif 000015
【図１４】
2004327821.tif 000016